(57)【特許請求の範囲】
【請求項１】
２枚の戸板の内側端部同士を開閉自在に蝶番で連結すると共に、一方側戸板の内側端部に設けられ伸縮部、収納部、ロック機構、弾性部材を必須構成とする受部と、他方側戸板の内側端部に設けられ前記受部と係止状態で固定される係止片を有する係止部とからなる固定装置を設けた折戸において、折戸が閉状態の時はロック機構により伸縮部が収納部に収納状態で固定されると共に係止片が伸縮部の係止受部に係止され２枚の戸板の内側端部同士が固定されており、係止部側戸板の内側部分を奥側へ押すことによって係止片が係止受部から外れると共に突押部Ｂが突押部Ａを押して伸縮部が収納部へ押し込まれロック機構が解除されることにより、伸縮部が弾性部材の付勢力で収納部から押し出されると共に突押部Ａが突押部Ｂを押すことで、２枚の戸板の内側端部を手前側にしてくの字に折れ曲がり折戸が開放されることを特徴とする折戸の開閉構造。
【請求項２】
弾性部材がバネであることを特徴とする請求項１に記載の折戸の開閉構造。
【発明の詳細な説明】
【技術分野】
【０００１】
本発明は、クローゼットや押入等の収納部に用いることができる折戸に関するものである。
【背景技術】
【０００２】
従来より、クローゼットや押入等の収納部の扉として、開口間口が大きくとれると共に開閉時に大きなスペースをとらないために、折戸が広く用いられており、収納スペースが十分に活用できるよう折戸は手前に引き出すように取り付けられている。
【０００３】
しかし、両手に荷物を持った状態で折戸を開閉する際には、ドアの把手を手前に引いて開閉しなければならないので、荷物を床に置いてからドアを開閉し、再度荷物を持たなければならず手間である。また、荷物が衣服や食品等の場合は、床に直接置くことは汚れが付いたり衛生上の問題で避けたいものである。
【０００４】
この問題に対しては、自動式の折戸であれば、スイッチを押すだけで開閉操作ができるので、荷物を持ちながら肘や腕等でスイッチを押すことができる。一例として、特許文献１、２に開示されている。
【特許文献１】実公平４−４３５８３公報
【特許文献２】特開平９−１４４４２５公報
【発明の開示】
【発明が解決しようとする課題】
【０００５】
しかし、自動式折戸ではドアを開閉するための装置の設置スペースが必要であるので、クローゼットや押入等に用いると収納量が少なくなると共に、設置及びランニング、メンテナンスに多額の費用がかかるので家庭用としては普及していない。
【０００６】
本発明は、かかる問題点に鑑みなされたものであり、大きな装置を用いずに簡単な構造によるもので、単に押すだけで手前に開閉できる折戸を提供することを目的とする。
【課題を解決するための手段】
【０００７】
上記目的を解決するために、請求項１の発明は、２枚の戸板の内側端部同士を開閉自在に蝶番で連結すると共に、一方側戸板の内側端部に設けられ伸縮部、収納部、ロック機構、弾性部材を必須構成とする受部と、他方側戸板の内側端部に設けられ前記受部と係止状態で固定される係止片を有する係止部とからなる固定装置を設けた折戸において、折戸が閉状態の時はロック機構により伸縮部が収納部に収納状態で固定されると共に係止片が伸縮部の係止受部に係止され２枚の戸板の内側端部同士が固定されており、係止部側戸板の内側部分を奥側へ押すことによって係止片が係止受部から外れると共に突押部Ｂが突押部Ａを押して伸縮部が収納部へ押し込まれロック機構が解除されることにより、伸縮部が弾性部材の付勢力で収納部から押し出されると共に突押部Ａが突押部Ｂを押すことで、２枚の戸板の内側端部を手前側にしてくの字に折れ曲がり折戸が開放されることを特徴とする。
【０００８】
また、請求項２の発明は、請求項１の発明において、弾性部材がバネであることを特徴とする。
【発明の効果】
【０００９】
請求項１の発明によれば、２枚の戸板の内側端部同士を開閉自在に蝶番で連結すると共に、一方側戸板の内側端部に設けられ伸縮部、収納部、ロック機構、弾性部材を必須構成とする受部と、他方側戸板の内側端部に設けられ前記受部と係止状態で固定される係止片を有する係止部とからなる固定装置を設けた折戸において、折戸が閉状態の時はロック機構により伸縮部が収納部に収納状態で固定されると共に、係止片が伸縮部の係止受部に係止され２枚の戸板の内側端部同士が固定されているので、折戸を閉じた状態では、ロック機構と固定装置の２種類によって２枚の戸板が確実に固定されがたつくことがない。
【００１０】
また、係止部側戸板の内側部分を奥側へ押すことによって係止片が係止受部から外れると共に、突押部Ｂが突押部Ａを押して伸縮部が収納部へ押し込まれロック機構が解除されることにより、伸縮部が弾性部材の付勢力で収納部から押し出されると共に突押部Ａが突押部Ｂを押すことで、２枚の戸板の内側端部を手前側にしてくの字に折れ曲がり折戸が開放される構造になっているので、両手に荷物を持っていても肘、腕、足等によって戸板を少し押し込むだけで折戸を手前側に開けることができる。
【００１１】
請求項２の発明によれば、弾性部材としてバネを用いているので、固定装置の構造が簡単であり安価に製造することができる。
【発明を実施するための最良の形態】
【００１２】
以下、本発明を実施するための実施形態を図面に基づき説明する。もちろん本発明は本実施形態の記載内容に限られるものではない。
【００１３】
図１は折戸Ｅの開閉時の動きを示した図である。折戸Ｅは受部側戸板Ａと係止部側戸板Ｂと両者を開閉自在に連結する蝶番Ｄとから構成され、図１（ａ）に示すように固定装置Ｃで閉状態に固定されている。係止部側戸板Ｂの端部を押すと蝶番を中心に折戸Ｅがくの字に折れて固定装置Ｃの固定状態が解除されると共に、係止部側戸板Ｂの端部に設けられた係止部２００が受部側戸板Ａの端部に設けられた伸縮自在の受部１００(伸縮部１１０)を押し込むことでロック機構が解除され（図１（ｂ））、内蔵する弾性部材（バネ）１４０の付勢力によって受部１００が押し出され係止部２００を押すことで折戸Ｅが蝶番を中心に逆方向に折り曲がる（図１（ｃ））。このように途中まで開いた折戸Ｅに対して、係止部側戸板Ｂをさらに押すことで折戸Ｅを完全に開くことができる。
【００１４】
ロック機構の具体例を挙げて詳しく説明する。図２は閉状態（図１（ａ））において固定装置Ｃの内部の機構を示す横断面図であり、図３〜図５はそれぞれ図１の（ａ）〜（ｃ）各状態に該当する固定装置Ｃの内部の機構、特にロック機構１３０の動きを示す縦断面図である。
【００１５】
折戸Ｅの固定装置Ｃは受部１００と係止部２００から構成され、受部１００は収納部１２０、伸縮部１１０、ロック機構１３０、バネ１４０からなり、係止部２００には受部１００に係止される係止片２１０が設けられる。
【００１６】
折戸Ｅは閉状態では、伸縮部１１０が収納部１２０に大部分が収納され、係止片２１０が伸縮部１１０の先端に設けられたＬ字状の係止突部１１１に係止される一方、図３に示すように収納部１２０後部内面に、一端を回転自在に軸支された針金状のロック片１３１がロック片固定部１３２にバネ１４０を収縮した状態でのバネの付勢力により固定されている。
【００１７】
係止部側戸板Ｂの端部を押すと蝶番を中心に折戸Ｅがくの字に折れると共に係止片２１０が係止突部１１１から外れ、係止部２００の突押部Ｂ２２０が係止突部１１１の外面に設けられた突押部Ａ１１２を押すことにより、伸縮部１１０は収納部１２０内に押し込まれて、図４に示すようにロック片１３１がロック片固定部１３２から前方に移動し解除片１３５に衝突して下方に移動しロックは解除される。
【００１８】
ロックが解除されると伸縮部１１０は収縮していたバネ１４０の付勢力によって、図５に示すように収納部１２０から前方に押し出され、突押部Ａ１１２が突押部Ｂ２２０を押すことで、蝶番Ｄを中心に折戸Ｅが逆方向にくの字に折れ曲がり途中まで少し開放されるので、腕や体で係止部側戸板Ｂをさらに押して折り畳むことで荷物を持ったまま折戸Ｅを開放することができる。
【００１９】
折戸を閉じる場合は、逆に折り畳まれた折戸Ｅを開くことにより、係止部側戸板Ｂの突押部Ｂ２２０が受部側戸板Ａの突押部Ａ１１２を押すことで伸縮部１１０が収納部１２０に押し込まれることにより、ロック片１３１の先端が導入部１３３を通って移動し導入片１３４に衝突してロック片固定部１３２の傾斜面に沿って下方へ移動し係止されると共に係止片２１０が係止突部１１１に係止され折戸Ｅは閉状態に固定される。
【００２０】
なお、折戸Ｅの構造として、受部１００と係止部２００は逆方向に設けられていても良い。すなわち、図１で左側にある受部１００が右側にあり係止部２００が左側にあっても良い。また、弾性部材１４０としてはバネ(特にコイルバネ）が構造が簡単で安価なため好ましいが、その他のバネやオイルダンパー、ゴム等、収縮状態から伸びることで付勢力を発現できるものであれば使用できる。
【産業上の利用可能性】
【００２１】
本発明の折戸の開閉構造は、大きな装置を用いずに簡単な構造によって、両手に荷物を持った状態で折戸を開閉することができるので、クローゼットや押入等の収納部に用いるだけでなく家具等にも応用でき、極めて有用で産業上の利用可能性が高い。
【図面の簡単な説明】
【００２２】
【図１】本発明の折戸の開閉時の動きを示す平面図。
【図２】本発明の図１（ａ）に該当する固定装置の内部の機構を示す横断面図。
【図３】本発明の図１（ａ）に該当する固定装置の内部の機構を示す縦断面図。
【図４】本発明の図１（ｂ）に該当する固定装置の内部の機構を示す縦断面図。
【図５】本発明の図１（ｃ）に該当する固定装置の内部の機構を示す縦断面図。
【符号の説明】
【００２３】
Ａ          受部側戸板（一方側）
Ｂ          係止部側戸板(他方側）
Ｃ          固定装置
Ｄ          蝶番
Ｅ          折戸
１００      受部
１１０      伸縮部
１１１      係止突部
１１２      突押部Ａ
１２０      収納部
１３０      ロック機構
１３１      ロック片
１４０      弾性部材（バネ）
２００      係止部
２１０      係止片
２１１      係止片固定部
２２０      突押部Ｂ
【図１】
0005139110.tif 000002
【図２】
0005139110.tif 000003
【図３】
0005139110.tif 000004
【図４】
0005139110.tif 000005
【図５】
0005139110.tif 000006